(57)【要約】【目的】ナット螺合前にボルトが脱落することを防止すると共に、ナット螺合に際してナットの回転にボルトが伴回りすることを防止でき、且つ製造コストを抑えた配管支持具用補助具を提供する。【構成】配管支持バンドの取付片を抱き込む抱持部を設けてあり該取付片に沿って摺動可能な補助具本体を有し、摺動方向に伸延するとともに、幅広部と幅挟部とが連通する透孔を有し、該透孔の相対抗する両周縁部の各々が摺動方向と直交方向となる切り起こし部を有し、該相対抗する切り起こし部の間隔が、前記ボルトの頭部の相対抗する辺を挟持する間隔であり、且つ、前記透孔の幅広部が、配管支持バンドの取付片に設けられたボルト挿通孔を挿通する前記ボルトが挿通可能な大きさであって、前記透孔の幅挟部が、該ボルトを係止することができる大きさであることを特徴とする配管支持具用ボルト伴回り・脱落防止補助具。【選択図】        図１
2010053913.tif 000002
【特許請求の範囲】
【請求項１】
ボルト挿通孔が設けられた取付片を有する配管支持バンドに取り付けられ、ボルトの伴回りを防止するとともに、ボルトの脱落を防止する配管支持具用ボルト伴回り・脱落防止補助具において、
前記配管支持バンドの取付片を抱き込む抱持部を設けてあり該取付片に沿って摺動可能な補助具本体を有し、
摺動方向に伸延するとともに、幅広部と幅挟部とが連通する透孔を有し、
該透孔の相対抗する両周縁部の各々が摺動方向と直交方向となる切り起こし部を有し、
該相対抗する切り起こし部の間隔が、前記ボルトの頭部の相対抗する辺を挟持する間隔であり、
且つ、前記透孔の幅広部が、配管支持バンドの取付片に設けられたボルト挿通孔を挿通する前記ボルトが挿通可能な大きさであって、
前記透孔の幅挟部が、該ボルトを係止することができる大きさである
ことを特徴とする配管支持具用ボルト伴回り・脱落防止補助具。
【請求項２】
補助具本体の透孔が、摺動方向に並設された２つの透孔からなることを特徴とする請求項１に記載の配管支持具用ボルト伴回り・脱落防止補助具。
【請求項３】
補助具本体が、摺動を妨げるための摩擦部を有することを特徴とする請求項１又は２に記載の配管支持具用ボルト伴回り・脱落防止補助具。
【請求項４】
補助具本体の抱持部が、摺動を妨げるための摩擦部を有することを特徴とする請求項１〜３のいずれかに記載の配管支持具用ボルト伴回り・脱落防止補助具。
【請求項５】
摩擦部が、補助具本体に設けられた抱持部の折り曲げ端部と補助具本体との間で、配管支持バンドの取付片を挟持する構成であることを特徴とする請求項３又は４に記載の配管支持具用ボルト伴回り・脱落防止補助具。
【請求項６】
摩擦部が、折り曲げ端部の中の補助具取り付け方向後端部に位置する部分と補助具本体との間で、配管支持バンドの取付片を挟持する構成であることを特徴とする請求項５に記載の配管支持具用ボルト伴回り・脱落防止補助具。
【請求項７】
摩擦部が、補助具本体に第２切り起こし部を設けた構成であることを特徴とする請求項３又は４に記載の配管支持具用ボルト伴回り・脱落防止補助具。
【請求項８】
摩擦部が、補助具本体に突起部を設けた構成であることを特徴とする請求項３又は４に記載の配管支持具用ボルト伴回り・脱落防止補助具。
【請求項９】
ボルト挿通孔が設けられた取付片を有する配管支持バンド、ボルト、ナット及び配管支持具用ボルト伴回り・脱落防止補助具から構成される配管支持具において、
該配管支持具用ボルト伴回り・脱落防止補助具が、請求項１〜８のいずれかに記載の配管支持具用ボルト伴回り・脱落防止補助具であることを特徴とする配管支持具。
【発明の詳細な説明】
【技術分野】
【０００１】
本発明は、配管支持具用ボルト伴回り・脱落防止補助具（以下、単に配管支持具用補助具ともいう。）及びそれを用いた配管支持具に関し、詳しくは配管支持バンドに挿通されるナット螺合前のボルトの脱落を防止し、且つボルトの伴回りを防止することができる配管支持具用補助具及びそれを用いた配管支持具に関するものである。
【背景技術】
【０００２】
従来より、配管支持具の吊りバンド等に挿通されるナット螺合前のボルトの脱落を防止し、且つボルトの伴回りを防止する技術が提案されている（特許文献１）。
【０００３】
【特許文献１】特開２００４−２３２７９６
【発明の開示】
【発明が解決しようとする課題】
【０００４】
特許文献１に記載の技術は、配管支持バンドの取付片と該配管支持バンドを取り付ける取付足とを抱え込むように伴回り防止具を装着し、ボルトの脱落とナット螺合時のボルトの伴回りを防止している。
【０００５】
しかし、この技術では、構成が複雑であり、製造コストが掛かり過ぎるという問題点がある。
【０００６】
そこで、本発明の課題は、ナット螺合前にボルトが脱落することを防止すると共に、ナット螺合に際してナットの回転にボルトが伴回りすることを防止でき、且つ製造コストを抑えた配管支持具用補助具を提供すること、及び該配管支持具用補助具を用いた配管支持具を提供することにある。
【課題を解決するための手段】
【０００７】
本発明の上記課題は、下記構成によって達成される。
【０００８】
１．ボルト挿通孔が設けられた取付片を有する配管支持バンドに取り付けられ、ボルトの伴回りを防止するとともに、ボルトの脱落を防止する配管支持具用ボルト伴回り・脱落防止補助具において、
前記配管支持バンドの取付片を抱き込む抱持部を設けてあり該取付片に沿って摺動可能な補助具本体を有し、
摺動方向に伸延するとともに、幅広部と幅挟部とが連通する透孔を有し、
該透孔の相対抗する両周縁部の各々が摺動方向と直交方向となる切り起こし部を有し、
該相対抗する切り起こし部の間隔が、前記ボルトの頭部の相対抗する辺を挟持する間隔であり、
且つ、前記透孔の幅広部が、配管支持バンドの取付片に設けられたボルト挿通孔を挿通する前記ボルトが挿通可能な大きさであって、
前記透孔の幅挟部が、該ボルトを係止することができる大きさである
ことを特徴とする配管支持具用ボルト伴回り・脱落防止補助具。
【０００９】
２．補助具本体の透孔が、摺動方向に並設された２つの透孔からなることを特徴とする前記１に記載の配管支持具用ボルト伴回り・脱落防止補助具。
【００１０】
３．補助具本体が、摺動を妨げるための摩擦部を有することを特徴とする前記１又は２に記載の配管支持具用ボルト伴回り・脱落防止補助具。
【００１１】
４．補助具本体の抱持部が、摺動を妨げるための摩擦部を有することを特徴とする前記１〜３のいずれかに記載の配管支持具用ボルト伴回り・脱落防止補助具。
【００１２】
５．摩擦部が、補助具本体に設けられた抱持部の折り曲げ端部と補助具本体との間で、配管支持バンドの取付片を挟持する構成であることを特徴とする前記３又は４に記載の配管支持具用ボルト伴回り・脱落防止補助具。
【００１３】
６．摩擦部が、折り曲げ端部の中の補助具取り付け方向後端部に位置する部分と補助具本体との間で、配管支持バンドの取付片を挟持する構成であることを特徴とする前記５に記載の配管支持具用ボルト伴回り・脱落防止補助具。
【００１４】
７．摩擦部が、補助具本体に第２切り起こし部を設けた構成であることを特徴とする前記３又は４に記載の配管支持具用ボルト伴回り・脱落防止補助具。
【００１５】
８．摩擦部が、補助具本体に突起部を設けた構成であることを特徴とする前記３又は４に記載の配管支持具用ボルト伴回り・脱落防止補助具。
【００１６】
９．ボルト挿通孔が設けられた取付片を有する配管支持バンド、ボルト、ナット及び配管支持具用ボルト伴回り・脱落防止補助具から構成される配管支持具において、
該配管支持具用ボルト伴回り・脱落防止補助具が、前記１〜８のいずれかに記載の配管支持具用ボルト伴回り・脱落防止補助具であることを特徴とする配管支持具。
【発明の効果】
【００１７】
前記１に記載の発明によれば、ナット螺合前にボルトが脱落することを防止すると共に、ナット螺合に際してナットの回転にボルトが伴回りを防止することができ、且つ、一枚の金属板等から成形することが可能であるため製造コストを抑えることができる配管支持具用補助具を提供することができる。
【００１８】
前記２に記載の発明によれば、配管支持具用補助具と該配管支持具用補助具を取り付ける足部材（以下、単に足部材とも言う。）とを２つのボルト及びナットで取り付けることにより、該配管支持具用補助具と該足部材がボルトを中心として回動することを防止でき、立配管用バンドに取り付け可能な配管支持具用補助具を提供することができる。
【００１９】
前記３に記載の発明によれば、配管支持具用補助具が意図せず摺動することを防止することができる。
【００２０】
前記４に記載の発明によれば、抱持部側の構成によって、配管支持具用補助具が意図せず摺動することを防止することができる。
【００２１】
前記５に記載の発明によれば、抱持部側の簡単な構成によって、配管支持具用補助具が意図せず摺動することを防止することができる。
【００２２】
前記６に記載の発明によれば、配管支持具用補助具が意図せず摺動することを簡単な構成で防止することができると共に、該配管支持具用補助具を配管支持バンドの取付片に取り付ける操作が容易である。
【００２３】
前記７に記載の発明によれば、配管支持具用補助具が意図せず摺動することを、第２切
り起こし部という簡単な構成で防止することができる。
【００２４】
前記８に記載の発明によれば、配管支持具用補助具が意図せず摺動することを、突起部という簡単な構成で防止することができる。
【００２５】
前記９に記載の発明によれば、ナット螺合前にボルトが脱落することを防止すると共に、ナット螺合に際してナットの回転にボルトが伴回りを防止することができ、且つ製造コストを抑えた配管支持具を提供することができる。
【発明を実施するための最良の形態】
【００２６】
本発明に係る配管支持具用補助具及び配管支持具の詳細について、添付の図面に基づき説明する。
【００２７】
図１は、本発明に係る配管支持具用補助具の１実施例の使用状態を示す説明図、
図２は、図１の配管支持具用補助具の６面図、
図３は、図１の配管支持具用補助具のボルト挿入及びボルト係止状態を説明する図、
図４は、図１の配管支持具用補助具の摩擦部を説明する図、
である。
【００２８】
先ず、本発明に係る配管支持具用補助具の１実施例の構成について、図１〜図４に基づき説明する。
【００２９】
図１において、１は本発明に係る配管支持具用補助具、２は該配管支持具用補助具１が取り付けられる配管支持具である。
【００３０】
配管支持具２は、ボルト３、ナット４、配管支持バンド５（配管抱持部５Ａ・５Ｂを有する。）、配管抱持部５Ａ・５Ｂ夫々の端部である取付片５Ｃ・５Ｄとから主として構成される。配管支持具２は、建物の壁面にアンカーやボルト等によって固定されたいわゆる羽子板ボルトやＴ足の如き取付足Ｔに取り付けられ、配管を支持するものである。尚、仮想線で示されるＰは配管である。
【００３１】
配管支持具用補助具１は、補助具本体１１、抱持部１２、透孔１３及び切り起こし部１４から構成される。抱持部１２は、補助具本体１１の一部であるが、以下説明上、独立部材として述べることもある。
図２において、配管支持具用補助具１の実施例の６面図を示す。
【００３２】
補助具本体１１は、配管支持バンド５の取付片５Ｃ・５Ｄと同等の又はそれ以上の幅（図２における正面図横方向をいう。以下同じ。）を有し、その幅方向両端部に抱持部１２を有し、摺動方向に伸延する構成である。
抱持部１２を含む補助具本体１１によって、配管支持バンド５の片方の取付片５Ｃを抱持する態様で取り付ける。取り付けは、取付片５Ｃと連なる配管抱持部５Ａと反対側の端部から、配管支持具用補助具１を配管抱持部５Ａの方向へ摺動させることにより行う。
【００３３】
抱持部１２は、補助具本体１１の幅方向の両端をＵ字型に折り返すことによって形成される。但し、その折り返し形状は本実施例のＵ字型に限定されず、コ字型やＶ字型等の他の形状であってもよい。
また、図２における本実施例は、補助具本体１１の幅方向端部のすべてを折り返しているが、配管支持バンドの取付片５Ａを抱持することができれば、幅方向端部の一部を１箇所又は２箇所以上折り返す構成であってもよい。
尚また、抱持部１２の形成方法として、溶接・接着等によって他部材を付加する等の手
段を採ることもできる。
【００３４】
透孔１３は、幅広部１３Ａと幅狭部１３Ｂとが縦方向（図２における正面図縦方向をいう。以下同じ。）に併設され、これらが連通して構成される。
本実施例を示す図１〜４の配管支持具用補助具１には、該透孔１３が、該配管支持具用補助具１の摺動方向に２つ並設されているが、本発明に係る配管支持具用補助具は当該構成に限定されず、透孔１３の数に限定はない。また、図２及び図３において、幅広部１３Ａを上、幅狭部１３Ｂを下に位置させているが、かかる上下位置に限定はない。
【００３５】
幅広部１３Ａは、配管支持バンドの取付片５Ｃに設けられたボルト挿通孔を挿通するボルト３が挿通可能な大きさである。即ち、幅広部１３Ａの幅は、ボルト３軸部の山部径よりも大である。
幅狭部１３Ｂは、配管支持バンドの取付片５Ｃに設けられたボルト挿通孔を挿通するボルト３を係止できる大きさである。即ち、幅狭部１３Ｂの幅は、ボルト３軸部の山部径より小さく且つ谷部径よりも大きい。
【００３６】
幅広部１３Ａと幅狭部１３Ｂを上記の大きさとすることで、ボルト３の軸部を幅広部１３Ａに挿通し、その後に、配管支持具用補助具１を摺動方向に移動させることにより、ボルト３の軸部が幅狭部１３Ｂの一部に嵌り込み、ボルト３は軸方向への抜けが阻止される状態で幅狭部１３Ｂに係止される。
【００３７】
図２〜４に示す実施例では、透孔１３は、幅広部１３Ａと幅狭部１３Ｂを各々四角形とし、それを連接した形状としているが、かかる形状に限定はない。例えば、幅広部１３Ａと幅狭部１３Ｂを各々円形又は半円形とし、それを連接した瓢箪形状等にしてもよい。
【００３８】
本発明に係る配管支持具用補助具１は、後述するように、透孔１３の相対抗する両周縁部の各々が摺動方向と直交方向となる切り起こし部１４Ａ・１４Ｂを有する構成である。
このため、図３（Ａ）に表されるように、ボルト３の軸部を幅広部１３Ａに挿通する際、所定の位置まで挿入すると、ボルト３の頭部が切り起こし部１４Ａ・１４Ｂと接触し、これ以上は挿入できない。
また、上記図３（Ａ）に示す状態から、配管支持具用補助具１を摺動させ、図３（Ｂ）の状態にしたとしても、ボルト３の軸部の谷部は幅狭部１３Ｂに嵌り込んでいるため、ボルト３を挿入方向に真っ直ぐは挿入することができない。
【００３９】
そこで、ボルト３を図３（Ｂ）に示す状態から更に挿入するには、ボルト３の軸部を前後左右に交互に傾けながら、ボルト３軸部の山部が幅狭部１３Ｂの端部を乗り越えていくように挿入する。
図３（Ｃ）に示す状態まで挿入されれば、ボルト３の軸部が、幅狭部１３Ｂの一部に嵌り込み、ボルト３は軸方向への抜けが阻止される状態で幅狭部１３Ｂに係止され、ナット４を螺合する前であっても、ボルト３の脱落を防止することができる。
【００４０】
尚、図３（Ａ）〜（Ｃ）に示す実施例は、配管支持具用補助具１を配管支持バンド５の取付片５Ｃに取り付ける方向として、透孔１３の幅狭部１３Ｂが配管抱持部５Ａ側となるようにしたが、かかる取り付け方向は反対向きとしてもよい（幅広部１３Ａが配管抱持部５Ａ側となるようにしてもよい。）。取り付け方向を反転した場合、図３（Ｂ）に示す配管支持具用補助具１の摺動方向は、反対向きとなることはいうまでもない。
【００４１】
切り起こし部１４は、摺動方向に相対抗する透孔１３の両周縁部に形成される。これを詳述すると、透孔１３の幅広部１３Ａと幅狭部１３Ｂの各周縁部の相対抗する位置に、切り起こし部１４Ａと１４Ｂがそれぞれ形成される。
切り起こし部１４は、配管支持具用補助具１の摺動方向と直交する方向に切り起こし形成される。
【００４２】
切り起こし部１４は、ボルト３の頭部がナット４の螺合時に伴回りを防止する役割を果たす。
そのため、相対抗する切り起こし部１４Ａと１４Ｂとの間隔は、ボルト３の頭部の相対抗する辺を挟持する間隔であることを要する。
ボルト３の軸部が、透孔１３に挿入された状態（図３（Ｃ）に示す状態をいう。）では、ボルト３の頭部が切り起こし部１４Ａと１４Ｂに挟持されるので、該ボルト３の頭部は切り起こし部１４Ａ・１４Ｂと当接して回動が規制される。従って、ナット４の螺合時においても、ボルト３が伴回りすることを防止できる。
【００４３】
ボルト３の伴回りを防止する手段として、切り起こし部１４を、本来は製造時に切り落とされる透孔１３部分を切り起こして形成しているため、無駄な材料は減少し、別部材を取り付けることがないため工数も減少し、配管支持具用補助具１の製造コストを抑えることができる。
【００４４】
配管支持具用補助具１は、配管支持バンド５の取付片５Ｃに取り付けられ、ボルト３が挿通された状態（図３（Ｃ）参照）では、ほとんど摺動することができない。
しかし、取付片５Ａに設けられたボルト挿通孔の径が、ボルト３軸部の径よりも大きければ、その分が遊びとなり、前記状態の配管支持具用補助具１はその遊び分だけ摺動可能となる。かかる状態では、すでに挿通したボルト３が揺れ等の外力が加わることにより傾き、極稀に脱落するおそれがある。
上記のようなボルト３が脱落する可能性を極力回避するためには、取付片５Ｃに設けられたボルト挿通孔の径の大小に因らず、配管支持具用補助具１の摺動を抑えなければならない。
【００４５】
そこで、補助具本体１１又は抱持部１２に、前記摺動を妨げる摩擦部１５を設けることができる（図４参照）。
摩擦部１５は、配管支持具用補助具１と配管支持バンド５の取付片５Ｃとの間で摩擦を生じさせ、該配管支持具用補助具１が摺動することを妨げるためのものである。
【００４６】
摩擦部１５の構成について、図４に基づいて説明する。
摩擦部１５は、図４（Ａ−１）に示すように、抱持部１２の折り曲げ端部１２Ａと補助具本体１１との間で、配管支持バンドの取付片５Ｃを挟持する構成とすることができる。この構成により、折り曲げ端部１２Ａと取付片５Ｃとの間で摩擦が生じ、配管支持具用補助具１が摺動することを妨げることができる。
【００４７】
図４（Ａ−２）に示すように、折り曲げ端部１２Ａの中の補助具取り付け方向後端部１２Ｂに位置する部分と補助具本体１１との間で、配管支持バンドの取付片５Ｃを挟持する構成とすることもできる。この構成とすることにより、該配管支持具用補助具１を該取付片５Ｃに取り付ける際には、該補助具取り付け方向後端部１２Ｂに差し掛かるまでは摩擦なく摺動させることができ、該補助具取り付け方向後端部１２Ｂと該補助具本体１１が該取付片５Ｃを挟持する状態となった場合にのみ、該補助具取り付け方向後端部１２Ｂと該取付片５Ｃとの間で摩擦が生じ、該配管支持具用補助具１が摺動することを妨げることができる。
【００４８】
図４（Ｂ−１）及び（Ｂ−２）に示すように、抱持部１２を含む補助具本体１１に第２切り起こし部１５Ａを設けた構成とすることもできる。この構成により、第２切り起こし部１５Ａと取付片５Ａとの間で摩擦が生じ、配管支持具用補助具１が摺動することを妨げ
ることができる。
【００４９】
図４（Ｃ−１）及び（Ｃ−２）に示すように、抱持部１２を含む補助具本体１１に突起部１５Ｂを設けた構成とすることもできる。この構成により、突起部１５Ｂと取付片５Ｃとの間で摩擦が生じ、配管支持具用補助具１が摺動することを妨げることができる。
突起部１５Ｂは、例えば、補助具本体１１の一部を叩き出して形成することもでき、溶接・接着等によって他部材を付加する等の手段を採ることもできる。
【００５０】
配管支持具用補助具１の材質としては、鉄、ステンレス、アルミニウム等の金属製、或いはＡＢＳ等の合成樹脂製など、この種の配管支持具の材料として公知公用の材質から選択することができる。
【００５１】
実施例において、透孔１３を２つ有する配管支持具用補助具１を挙げており、図１では立配管の例を示しているが、透孔１３を１つとし、例えば、吊り配管用の支持バンドに本発明に係る配管支持具用補助具１を取り付けることもできる。
【００５２】
また、実施例において、配管支持具用補助具１を取り付ける配管支持具２は、ボルト３、ナット４及び配管支持バンド５から構成しているが、これらの構成部材については、公知公用の部材を代用することができる。
例えば、配管支持バンド５については、実施例では、配管抱持部５Ａと５Ｂとを同等の長さとした蝶番式の吊りバンドとして説明しているが、例えば、配管抱持部５Ａと５Ｂの長さが異なる蝶番式の吊りバンドとしてもよいし、いわゆる組式の吊りバンドや配管抱持部の形状が円形以外の吊りバンド等、公知公用のものを代用してもよい。
【図面の簡単な説明】
【００５３】
【図１】本発明に係る配管支持具用補助具の１実施例の使用状態を示す説明図
【図２】図１の配管支持具用補助具の６面図
【図３】図１の配管支持具用補助具のボルト挿入及びボルト係止状態を説明する図
【図４】図１の配管支持具用補助具の摩擦部を説明する図
【符号の説明】
【００５４】
１    配管支持具用補助具
１１    補助具本体
１２    抱持部
１２Ａ    折り曲げ端部
１２Ｂ    補助具取り付け方向後端部
１３    透孔
１３Ａ    幅広部
１３Ｂ    幅狭部
１４    切り起こし部
１４Ａ    幅広部側切り起こし部
１４Ｂ    幅狭部側切り起こし部
１５    摩擦部
１５Ａ    第２切り起こし部
１５Ｂ    突起部
２    配管支持具
３    ボルト
４    ナット
５    配管支持バンド
５Ａ・５Ｂ    配管抱持部
５Ｃ・５Ｄ    取付片
Ｔ    取付足
Ｐ    配管
【図１】
2010053913.tif 000003
【図２】
2010053913.tif 000004
【図３】
2010053913.tif 000005
【図４】
2010053913.tif 000006